(57)【要約】      （修正有）【課題】合理的で、使用が更に便利になり、密閉袋に詰めて保湿する必要がなくなり、用途が幅広く、適用性が更に優れている圧接式浸漬積層ティシュを提供する。【解決手段】２層のペーパータオル４、６と、生分解性プラスチックシートにより壁部が構成された中空ボール２と、からなる。中空ボール２の壁部は全て密閉され、その外形は正球体または楕円球体になっている。２層のペーパータオル４、６の各周辺の内壁面は相互に接着されており、ペーパータオル４、６はティッシュペーパーまたは不織布からなる。２層のペーパータオル４、６の間に中空ボール２が設置され、中空ボール２内には人体皮膚に無害な液体５が密閉して充填されている。【選択図】図２
0003184762.tif 000002
【実用新案登録請求の範囲】
【請求項１】
ペーパータオルを含む圧接式浸漬積層ティッシュにおいて、
２層のペーパータオル(4)、ペーパータオル(6)と、有機生分解性プラスチック膜により壁部が構成された中空ボール(2)と、からなり、中空ボール(2)の壁部の全てが密閉され、その外形は正球体または楕円球体を形成し、２層のペーパータオル(4)とペーパータオル(6)それぞれの周辺の内壁面が相互に接着し、ティッシュペーパーまたは不織布からなり、２層のペーパータオル(4)とペーパータオル(6)の間には中空ボール(2)が均一に設置され、該中空ボール(2)内には人体皮膚に無害な液体(5)が密閉して充填されていることを特徴とする圧接式浸漬積層ティッシュ。
【請求項２】
液体(5)は、純水、香水、消毒液、ハンドソープ液、洗浄液またはアルコールであることを特徴とする請求項１に記載の圧接式浸漬積層ティッシュ。
【請求項３】
正球体を形成する各中空ボール(2)の直径は2mm〜8mmであり、若しくは、楕円球体を形成する各中空ボール(2)の最長直径は3mm〜9mmであることを特徴とする請求項１に記載の圧接式浸漬積層ティッシュ。
【請求項４】
各中空ボール(2)はそれぞれ繊維糸(3)を通じて周辺の接近、又は、隣接する中空ボール(2)と連結されているこことを特徴とする請求項１に記載の圧接式浸漬積層ティッシュ。
【請求項５】
前記２層のペーパータオル(4)とペーパータオル(6)には球面壁部(7)が均一に分布して設けられており、球面壁部(7)は２層のペーパータオル(4)とペーパータオル(6)の各自シートの外表面に膨らんでおり、各層のペーパータオルのシートに設けられている球面壁部(7)の内部の球形凹部と各中空ボール(2)の外表面が接触され、２層のペーパータオルの間に設けられている各中空ボール(2)を位置制限して固定することを特徴とする請求項１に記載の圧接式浸漬積層ティッシュ。
【請求項６】
２層のペーパータオル(4)とペーパータオル(6)の間には1対の生分解性プラスチックシート(9)と生分解性プラスチックシート(10)からなる２層の積層シートが設けられ、該２層の積層シートの周辺は２層のペーパータオル(4)とペーパータオル(6)の各自周縁の内壁面の間に挟持され、かつ２層の積層シートの周辺の両側壁面と各自の周縁の内壁面が接着し、各生分解性プラスチックシートにはその外側表面に膨らんでいる半球殻体が設けられ、該生分解性プラスチックシート(9)と生分解性プラスチックシート(10)の各自内側の平面壁の間が結合して２層の積層シートを形成し、これにより、該生分解性プラスチックシート(9)と生分解性プラスチックシート(10)の各自シートに設けられている半球殻体(11)と半球殻体(12)が一対を成してそれぞれ２層の積層シートの両側面に向かって膨らんでいる中空ボール殻を形成して、各２層のペーパータオルの間の中空ボール(2)を位置制限して固定し、２層の積層シート本体には貫通孔(8)が均一に設けられていることを特徴とする請求項１に記載の圧接式浸漬積層ティッシュ。
【請求項７】
２層のペーパータオル(4)とペーパータオル(6)の各自周辺の内壁面にはそれぞれ接着面(1)が設けられ、２層のペーパータオル(4)とペーパータオル(6)の各自周辺の内壁面は該接着面(1)を通じて相互に接着されていることを特徴とする請求項１に記載の圧接式浸漬積層ティッシュ。
【考案の詳細な説明】
【技術分野】
【０００１】
本考案は通常のウェットティッシュ紙構造を改善したものに関し、特に圧接式浸漬積層ティッシュに関する。
【背景技術】
【０００２】
現在、既存のウェットティッシュ紙は、１枚ずつ浸漬された後には密閉されたビニール袋に単独に詰める必要があり、そうでなければ、保湿状態を保持することができない。使用する際に、密閉袋に事前に設けられた粘着シートを剥がすことで、密閉袋における粘着シートにより覆われた開口が開かれ、その中からウェットティッシュを抽出して、手や腕等の部位または他の物品を拭くことができる。もし、密閉袋が開裂または開口された場合、その中に詰められたティッシュ本体に含まれる液体が開裂された部位または開口部位から揮発または蒸発される。もし、ウェットティッシュを抽出した後に即時に使用しなかった場合、ウェットティッシュの液体が短時間内に揮発または蒸発する恐れがあり、適用性が比較的悪く、使用が不便で、更に有効的または繰り返してウェットティッシュを使用することができず、使用も不便になり、用途が単純である。
【考案の概要】
【考案が解決しようとする課題】
【０００３】
本考案の目的は圧接式浸漬積層ティッシュを提供することにあり、本考案の圧接式浸漬積層ティッシュは、その構造は合理的で、使用が更に便利になり、密閉袋に詰めて保湿する必要がなくなり、用途が幅広く、適用性が更に優れている。
【課題を解決するための手段】
【０００４】
圧接式浸漬積層ティッシュは、ペーパータオルを含み、２層のペーパータオルと、有機生分解性プラスチック膜により壁部を構成する中空ボールと、からなり、中空ボールの壁部は全て密閉され、その外形は球体または楕円球体になっており、２層のペーパータオルの各周辺の内壁面の間が相互に接着し、かつティッシュペーパーまたは不織布からなり、２層のペーパータオルの間には中空ボールが均一に分布され、該中空ボール内には人体皮膚に無害な液体が密閉して充填されている。
【０００５】
本考案によれば、２層のペーパータオルの間には圧接することで破裂可能な中空ボールが挟持され、該中空ボールは有機生分解性プラスチック膜により球殻を構成し、中空ボール内には香水、消毒液、ハンドソープ液などの人体皮膚に無害な液体が充填されている。使用する時、手で２層のペーパータオル内の一部の中空ボールまたは全ての中空ボールを押し破って、中空ボール内の液体をペーパータオルに流出させることで、皮膚などの部位または他の物品を拭くことができる。本考案は構造が合理的で、使用が更に便利になり、密閉袋内に詰めて保湿する必要がなくなり、用途が幅広くなり、適用性が優れている。
【０００６】
以下、図面を用いて本考案に対して更に詳しく説明する。
【図面の簡単な説明】
【０００７】
【図１】図１は、本考案の実施例1を外部から見た場合の透視構造を示す。
【図２】図２は、図１の構造の断面図である。
【図３】図３は、本考案の実施例2の構造の断面図である。
【図４】図４は、本考案の実施例3を外部から見た場合の透視構造を示す。
【図５】図５は、本考案の実施例4を外部から見た場合の透視構造を示す。
【図６】図６は、図５の構造の断面図である。
【図７】図７は、本考案の実施例4における半球殻体の構造の拡大断面図である。
【考案を実施するための形態】
【０００８】
圧接式浸漬積層ティッシュは、図1から図7に示されたように、ペーパータオルを含み、２層のペーパータオル4、ペーパータオル6と、有機生分解性プラスチック膜により壁部を構成する中空ボール2と、からなり、中空ボール2の壁部が全て密閉され、その外形は球体または楕円球体を形成し、２層のペーパータオル4とペーパータオル6において、その各周辺の内壁面の間が接着され、かつティッシュペーパーまたは不織布からなり、２層のペーパータオル４とペーパータオル６の間には中空ボール２が均一に分布されており、該中空ボール２内には人体皮膚に無害な液体５が密閉して充填されている。
【０００９】
液体5は、純水、香水、消毒液、ハンドソープ液、洗浄液またはアルコールである。中空ボール2内にはアルコール等のような容易に揮発する液体が充填されている。中空ボールを押し破った後、運動場または高温天気のとき、人体皮膚の表面を一度に拭くことができ、中空ボール2から流出される揮発性の液体は、降温と放熱効果を果たすことができる。もし、半透膜を用いて中空ボール2を製造した場合、中空ボール2内に香水を充填することができ、それをゆっくりと揮発させ、または高級洋服に入れることもでき、圧接して香気を放出すると、フレーバー効果を果たすことができる。更に、中空ボール2内に他の薬(医学)用液体を充填することも可能で、中空ボール2を押し破って、薬(医学)用液体を、傷口または腫れた患部に塗り、または傷口または腫れた患部を拭くことで、消毒、殺菌などの作業が便利になる。
【００１０】
正球体を成す各中空ボール2の直径は2mm〜8mmで、または楕円球体を成す各中空ボール2の最長直径は3mm〜9mmである。
図1乃至図4に示されたように、各中空ボール2はそれぞれ繊維糸3を介して周辺のもっとも接近又は隣接する中空ボール2と連結する。
【００１１】
図3に示すように、前記２層のペーパータオル4とペーパータオル6にはそれぞれ球面壁部7が均一に分布されており、球面壁部7は２層のペーパータオル4とペーパータオル6の各自の外表面に膨らんでいる。各層のペーパータオルのシートに設けられている球面壁部7の内部の球形凹部と各中空ボール2の外表面が接触され、２層のペーパータオルの間に設けられている各中空ボール2を位置制限して固定させる。
【００１２】
図５、図６及び図７に示されたように、２層のペーパータオル4とペーパータオル6の間には、一対の生分解性プラスチックシート9と生分解性プラスチックシート10からなる２層の積層シートが設けられており、該２層の積層シートの周辺は２層のペーパータオル4とペーパータオル6の各自周縁の内壁面の間に挟持され、かつ２層の積層シートの周辺の両側壁面とその各自周縁の内壁面が互いに粘着し、各生分解性プラスチックシートにはその外側表面に膨らんでいる半球殻体が設けられている。該生分解性プラスチックシート9と生分解性プラスチックシート10の各自内側平面壁は、相互に結合して２層の積層シートを形成し、これにより、該生分解性プラスチックシート9と生分解性プラスチックシート10の各自シートに設けられている半球殻体11と半球殻体12が一対をなして２層の積層シートの両側面に向かって膨らんでいる中空ボール殻を形成し、これにより、２層のペーパータオルの間に設けられている中空ボール2を位置制限して固定させる。２層の積層シート本体には貫通孔8が均一に分布して設けられ、これにより、押し破った後に、液体5が中空ボール２内から便利に流出して貫通孔8を経由し、２層のペーパータオル4、６の両外側表面が有効的に浸漬される。
【００１３】
図１から図5に示されたように、２層のペーパータオル4とペーパータオル6の各自周辺を周回する内壁面には接着面1が設けられ、２層のペーパータオル4とペーパータオル6の各自の周辺を周回する内壁面は該接着面1を通じて相互に接着する。
【図１】
0003184762.tif 000003
【図２】
0003184762.tif 000004
【図３】
0003184762.tif 000005
【図４】
0003184762.tif 000006
【図５】
0003184762.tif 000007
【図６】
0003184762.tif 000008
【図７】
0003184762.tif 000009